(57)【要約】   応用キネシオロジー方法および装置は、真／偽、または有益／不益な刺激に対する検査員の自律反応を利用し、応用キネシオロジー検査の状況において検査員に即座にフィードバックを提供する。キネシオロジー眼鏡は、真実性に対する局所的な瞳孔反応を、その場または離れた場所において検出する。瞳孔の拡張または収斂の測定値により、また、これらの測定を処理することで、反応が得られ、瞳孔反応を反映させたフィードバックが感覚刺激を介して検査官に提供される。本発明の装置および方法は、テストを実施する検査員の手から、従来技術による筋肉テスト反応の主観的な要素を効果的に排除する。
2013505811.tif 000002
【特許請求の範囲】
【請求項１】
眼鏡フレームと、
被験者瞳孔の大きさの変化を感知することができる瞳孔拡張センサであって、前記眼鏡フレームに取り付ける瞳孔拡張センサと、
プロセッサと、
前記プロセッサに接続しており、少なくとも制御期間と活性期間の間の推移を示す信号を提供するスイッチと、
複数の状態のうちの少なくとも１つの指標を提供でき、前記被験者が観察できる、少なくとも１つの発光ダイオードであって、前記指標が（ＬＥＤ）の色、ＬＥＤの輝度、ＬＥＤのカデンス、ＬＥＤの点滅回数から成る群より選択される発光ダイオードと
を備え、
前記瞳孔拡張センサは、瞳孔の大きさの変化に関する情報をプロセッサに提供し、前記プロセッサは、制御期間中に前記センサから受信した瞳孔情報に基づいてメトリックを決定することができ、また、少なくとも第１メトリックと、活性期間中に前記センサから受信した追加の情報とに基づいて、第２メトリックを決定することができ、前記プロセッサは、前記第２メトリックに基づいて制御信号を作成し、前記制御信号は、前記複数の状態のうちの少なくとも１つの指標をインジケータに表示させることを特徴とする応用キネシオロジーフィードバック眼鏡。
【請求項２】
前記複数の状態は、真、偽、未定から成る群より選択されることを特徴とする請求項１に記載の眼鏡。
【請求項３】
前記瞳孔センサはデジタルカメラを備え、瞳孔径の変化に関する前記情報は瞳孔および虹彩の画像であることを特徴とする請求項１に記載の眼鏡。
【請求項４】
被験者の性質的特徴を感知できる性質センサであって、前記性質的特徴は自律神経の変化に晒される性質センサと、
プロセッサと、
フィードバックインジケータと、
制御期間と活性期間のうちの１つを指定する周期信号と
を備え、
前記性質センサは前記プロセッサと少なくとも一方通行の通信を行い、前記プロセッサが、前記被験者の性質的特徴を表す信号と前記周期信号を受信して処理し、
前記プロセッサは前記フィードバックインジケータを動作可能に制御し、前記フィードバックインジケータは、前記プロセッサからの制御信号に応答して、複数の状態のうちの少なくとも１つの指標を呈示し、前記指標は被験者によって観察されることが可能であることを特徴とする応用キネシオロジーフィードバック装置。
【請求項５】
前記性質的特徴は、瞳孔径、温度、呼吸速度、精神生理学的効果、筋肉反応から成る群より選択されることを特徴とする請求項４に記載の装置。
【請求項６】
前記性質センサは、瞳孔計、抵抗計、ひずみゲージ、温度計、ＥＥＧ、ＥＯＧ、ＥＭＧ、ｆＭＲＴ、デジタルカメラから成る群より選択されることを特徴とする請求項４に記載の装置。
【請求項７】
前記インジケータは視覚性のものであることを特徴とする請求項４に記載の装置。
【請求項８】
前記指標は、色、輝度、カデンス、パルス数から成る群より選択されることを特徴とする請求項７に記載の装置。
【請求項９】
前記インジケータは音声性のものであることを特徴とする請求項４に記載の装置。
【請求項１０】
前記指標は、合成音声、録音した音声、音色、音量、パルス数、低周波振動から成るグループより選択されることを特徴とする請求項９に記載の装置。
【請求項１１】
前記性質センサはデジタルカメラであり、前記性質的特徴は瞳孔径であり、前記性質的特徴を表す信号は前記瞳孔および虹彩の画像であり、前記プロセッサプロセッサは、前記デジタルカメラから受信した前記信号と前記周期信号とに基づいてメトリックを決定できることを特徴とする請求項４に記載の装置。
【請求項１２】
前記性質センサはデジタルカメラであり、前記性質的特徴は瞳孔径であり、前記性質的特徴を表す信号は前記瞳孔および虹彩の画像であり、前記プロセッサは、前記制御期間中に前記デジタルカメラから受信した前記信号に基づいてメトリックを決定でき、また、少なくとも第１メトリックと、活性期間中に前記デジタルカメラから受信した追加の信号とに基づいて第２メトリックを決定でき、前記プロセッサは前記第２メトリックに基づいて制御信号を作成し、前記制御信号は、前記複数の状態のうちの少なくとも１つの指標をインジケータに表示させることを特徴とする請求項４に記載の装置。
【請求項１３】
前記第１メトリックは、前記制御期間中に測定した前記瞳孔径の平均値であり、前記第２メトリックは、前記活性期間中の前記瞳孔径に関連していることを特徴とする請求項１２に記載の装置。
【請求項１４】
前記第２メトリックは平均値またはそれから導出した値であることを特徴とする請求項１３に記載の装置。
【請求項１５】
前記第２メトリックは所定の閾値と比較されることを特徴とする請求項１２に記載のシステム。
【請求項１６】
情報を得るために制御期間中に被験者の性質的特徴をセンサによって感知するステップであって、前記性質的特徴が自律神経の変化に晒されるステップと、
前記感知した性質的特徴に関する前記情報を、処理のために前記プロセッサに提供するステップと、
制御期間から活性期間へ推移するステップと、
前記被験者に偽の反応をさせる刺激を与えるステップと、
追加の情報を得るために、被験者の性質的特徴を感知するステップと、
前記活性期間中に前記性質的特徴に関する追加情報を前記プロセッサに提供するステップと、
前記刺激に対する前記性質的特徴の反応を決定するべく、前記追加の情報を処理するステップと、
前記決定された反応に基づいて前記被験者にフィードバックを提供するステップと
を備えることを特徴とする応用キネシオロジー検査のためのフィードバック伝送方法。
【請求項１７】
前記フィードバックを提供するステップは、少なくとも視覚信号の提供するステップを含むことを特徴とする請求項１６に記載の方法。
【請求項１８】
前記視覚信号は、所定の色を持つ光を前記被験者に対して照明すること、所定の輝度を持つ光を前記被験者に対して照明すること、所定の頻度で点滅する光をパルス発信すること、所定数のパルスで光をパルス発信することから成る群より選択されることを特徴とする請求項１７に記載の方法。
【請求項１９】
前記フィードバックを提供するステップは、音声信号を提供するステップを少なくとも含むことを特徴とする請求項１６に記載の方法。
【請求項２０】
前記音声信号は、合成音声、録音した音声、音色、音量、パルス数、低周波振動から成る群より選択されることを特徴とする請求項１８に記載の方法。
【請求項２１】
前記性質センサはデジタルカメラであり、前記性質的特徴は瞳孔径であり、前記性質的特徴を表す前記信号は前記瞳孔および虹彩の画像であり、前記プロセッサは、前記制御期間中に前記デジタルカメラから受信した前記信号に基づいてメトリックを決定でき、少なくとも第１メトリックと、活性期間中に前記デジタルカメラから受信した追加の信号とに基づいて第２メトリックを決定でき、前記プロセッサは、前記第２メトリックに基づいて制御信号を作成し、前記制御信号は、前記複数の状態のうちの少なくとも１つの指標をインジケータに表示させる、請求項１６に記載の方法。
【請求項２２】
前記刺激は真の状態または偽の状態であることを特徴とする請求項１６に記載の方法。
【発明の詳細な説明】
【相互参照】
【０００１】
本出願は正規の出願であり、「Ｓｙｓｔｅｍ  ａｎｄ  Ｍｅｔｈｏｄ  ｆｏｒ  Ａｐｐｌｉｅｄ  Ｋｉｎｅｓｉｏｌｏｇｙ  Ｆｅｅｄｂａｃｋ」と題された２００９年９月２９日出願の同時係属出願６１／２７７７０６号の優先権の利益を主張するものである。上記出願の全内容は参照により本明細書に援用される。
【背景技術】
【０００２】
応用キネシオロジー（ＡＫ）の背景は一般にジョージ・グッドハート（Ｇｅｏｒｇｅ  Ｇｏｏｄｈａｒｔ）Ｄ．Ｃ．（１９６４年）にまで遡る。この背景において、総体的な横紋筋の反応は、有害な刺激に対して弱化してゆき、有益な刺激に対して強い状態を保つものの１つであることが観察された。
【０００３】
応用キネシオロジーの相互評価手法は、機能生体機械学的および機能神経学的な判定の形式を呈する。用語「機能生体機械学」は、姿勢、歩行などにおける組織的動作、および関節可動域、の臨床評価を意味する。筋肉テストは、姿勢の歪み、歩行障害、および変化した関節可動域の評価を容易に取り扱う。機能神経学的判定の最中に筋肉テストを用いて、身体的、化学的、または精神的な刺激に対する生理反応を観察する。観察した反応を、臨床履歴および身体検査の所見と相関させ、また、何らかの兆候がある場合は臨床検査やその他任意の適切な標準的診断方法と相関させる。
【０００４】
応用キネシオロジー反応は、２０世紀中頃から、カイロプラクターにより診断目的で用いられてきた。筋肉反応測定は、以前は随意筋群の総体的な身体動作によって達成された。
【０００５】
図１に示す従来技術のキネシオロジー検査の１例は、デビッド・ホーキンズ著の「Ｐｏｗｅｒ  ｖｅｒｓｕｓ  Ｆｏｒｃｅ（邦題「パワーか、フォースか」）」（１９９５年、出版社：Ｖｅｒｉｔａｓ  Ｐｕｂｌｉｓｈｉｎｇ）の３頁目からの抜粋であるが、これは、Ｈ．Ｏ．ケンダル（Ｈ．Ｏ．  Ｋｅｎｄａｌｌ）著の「Ｍｕｓｃｌｅｓ：Ｔｅｓｔｉｎｇ  ａｎｄ  Ｆｕｎｃｔｉｏｎ（邦題「筋：機能とテスト」）」（出版社：Ｗｉｌｌｉａｍｓ  ＆  Ｗｉｌｋｉｎｓ（ボルチモア）、２版（１９７１））から引用されたものである。
【発明の概要】
【発明が解決しようとする課題】
【０００６】
しかしながら、従来技術において、キネシオロジーテストは２人で行わなければならないという課題がある。１人はテストを行うための友人または家族である。我々はこの人物を被験者と呼び、そして、あなたは検査員である。被験者を直立させ、右手を身体の右側にてリラックスさせ、左腕を肘を真っ直ぐにして床と平行に伸ばさせる（ブロック１０１）。（所望であれば、もう一方の腕を使ってもよい。）被験者と向き合い、あなたの左手を被験者の右肩に置いて被験者が動かないようにする。次に、あなたの右手を、被験者の伸ばした左腕の手首のすぐ上に位置決めする（ブロック１０３）。被験者に、これから彼の腕を、彼が抵抗しても押し下げようとすると伝える（ブロック１０５）。被験者の腕をかなり速く、しっかりと、かつ均等に押し下げる（ブロック１０７）。押し下げる程度は、被験者の腕のバネとバランスをテストするのに十分な程度に強くするが、しかし筋肉が疲労する程には強くしないくらいである。この現象は、誰がより強いかではなく、筋肉が押力に対して肩関節を「ロック」できるかどうかを見る。ここであなたは抵抗力を判断し（ブロック１０９）、筋肉の強弱を決定する（ブロック１１１）。
【０００７】
外来性の刺激がなく（この理由のため、検査員が笑ったり、あるいは被験者と対話しないことが重要である）、筋肉に身体的な問題が生じず、被験者の精神が正常でリラックスした状態にあると仮定した場合、筋肉は「強いと証明される」、つまり、腕がロックを維持する、または抵抗力が強い状態にある（ブロック１１３）。負の刺激（例えば人工甘味料）が存在する状況でテストを繰り返す場合は、あなたが押し下げる力を前回と変えていないのにもかかわらず、筋肉は圧力に抵抗できず、被験者の腕は体側へと下がってしまう（ブロック１１５）。
【０００８】
これは、筋肉が「真」または「真でない」命題に反応するケースでも同様であり、筋肉は「真」の条件下では強い状態を維持し、「真でない」条件（つまり「偽」の命題）の下では弱化する。同様に、２００７年のＣ・デイビス（Ｄａｖｉｓ．  Ｃ）の報告によれば（Ｄ・ホーキンズ著「Ｒｅａｌｉｔｙ，  Ｓｐｉｒｉｔｕａｌｉｔｙ，  ａｎｄ  Ｍｏｄｅｒｎ  Ｍａｎ」（２００８年）の中で）、瞳孔は、個人による偽の命題に対して拡張し、真の命題に対して収斂する。この平滑筋、すなわち自律神経活動、によって、自然に起こる応用キネシオロジー反応を評価する独特な方法が得られる。
【０００９】
グッドハート（１９７６年）はさらに、虚偽の命題を聞く個人の反応について次のように記している：偽とわかっている命題を提供した場合には（例えば、リンドン・ジョンソン（Ｌｙｎｄｏｎ  Ｊｏｈｎｓｏｎ）が「トンキン湾」について話しているテープ録音、あるいは、エドワード・ケネディ（Ｅｄｗａｒｄ  Ｋｅｎｎｅｄｙ）の、チャパキディック事件での捜査に非協力的なテープ録音）、大きな横紋筋のテストで弱化が証明された。グッドハートによるこれらの簡潔な観察は国家安全保障の問題にも関連性を持つ。すなわち、偽の情報は被験者である個人によって示されるのではなく（つまり、嘘をついているのは被験者ではない）、それを聞いている人物によって検知されるということである。この特定の現象をホーキンズは「フィールド効果」と記述し、説明している。理論上の説明は量子物理学に関連した「非局所性の効果」であり、したがって、日常の理解からすると若干「先鋭的」であるが、しかし、観察可能な機能性は注目すべきものであり、これを作用させるためのパラメータの有効性が確認されれば素晴らしい将来性を持つ。言い換えれば、偽の命題のフィールド効果の存在により、もう１人がその場にいてこれを検知する必要がなくなる。
【課題を解決するための手段】
【００１０】
上記の課題を解決するために、本主題の目的は、少なくとも片眼の特徴を測定するための、特に、真実（有益）と虚偽（不益）という異なる条件下で眼の生理学的変化を測定するための、改良された装置、システム、方法を提供することである。
【００１１】
本主題の別の目的は、無意識の（自律神経性の）瞳孔反応を自動工程を用いて自動的に観察することで、テストを実施する人物からの筋肉テスト反応の主観的な要素を除去することである。  
【００１２】
本主題のさらに別の目的は、応用キネシオロジー検査を遠隔地から提供することである。
【００１３】
本主題のこれらの、また多くのこれ以外の目的および利点は、本発明が関連する当業者が、特許請求の範囲、添付の図面、以降の好ましい実施形態の詳細な説明を精読することで容易に明白となるだろう。
【図面の簡単な説明】
【００１４】
【図１】従来技術のキネシオロジー検査のフロー図である。
【００１５】
【図２Ａ】本主題の一実施形態による応用キネシオロジー眼鏡の１つの例証である。
【００１６】
【図２Ｂ】本主題の一実施形態による応用キネシオロジー眼鏡の略図である。
【００１７】
【図３】本主題の一実施形態による応用キネシオロジー検査のためのフィードバック伝送方法のフロー図である。
【００１８】
【図４】応用キネシオロジーフィードバックを取得する方法のフローチャートである。
【００１９】
【図５】瞳孔の自律反応を判定するためのフロー図フローチャートである。
【００２０】
【図６】応用キネシオロジーのフィードバックを遠隔地にて得る方法のフローチャートである。
【発明を実施するための形態】
【００２１】
キネシオロジー眼鏡は、「真実」対「虚偽」（並びに、「有益な条件」対「無益な条件」）に対する虹彩反応の現象をドキュメント化し、個人に迅速なフィードバックを付与する装置である。この装置は、関与する人数を１人に抑える一方、光学的／機械的な、計算によって導出した関数を使用して、筋肉テスト処理への主観的な要素を効果的に排除することで、テストを実施している人物から筋肉テスト反応の主観的な要素を有利に取り去り、無意識の（自律性の）瞳孔反応を観察する。この眼鏡は個人に特化させた自己内蔵型機構であってよく、これにより、個人が自分ひとりで応用キネシオロジー反応の結果を確認することが可能になる。言い換えれば、個人はもう１人の人物がいなくても、命題の真実性を得ることができる。従来、応用キネシオロジー反応の確認には、検査員と被験者の２人の人物が必要であった。この装置によって自己判定が可能になり、２人の人物が反応を得ることで生じる主観的な影響を排除できる。
【００２２】
例示的な一実施形態において、自己判定と主観的影響の排除とは、完全に携帯式で自己内蔵型の独特なメガネフレーム搭載型装置によって達成される。この眼鏡はさらに、被験者またはテストを実施している人物以外の実体についての「真実の」情報を、検査員に提供することも可能である。応用キネシオロジーは「フィールド現象」に基づくので、情報の対象者は装置を使用している個人に限定されず、したがって、その情報収集はテストを実施している人物を超えた広範囲にまで適用される。
【００２３】
キネシオロジー眼鏡は、真実性に対する局所的な瞳孔反応をその場で、または遠隔地にて検出する。例示的な実施形態は、真実または不真実の各々の条件（あるいは、個人にとって生理的に好ましい、または好ましくない各々の条件）に対する時間の経過に伴う瞳孔の収斂または拡張を測定し、装置を装用している個人に感覚フィードバックを提供する。真実に対する瞳孔表面範囲の（および、直接動作直径による）反応はフィールド現象であるが、真実性の評価は遠隔地にて行うことが可能である。例示的な実施形態は、生理学的条件、または「真実」対「不真実」の命題に反応して起こる瞳孔拡張を測定する構造になっている
【００２４】
図２Ａ、図２Ｂは、応用キネシオロジー眼鏡の実施形態を例証する。応用キネシオロジー眼鏡として機能するように改造した従来のメガネフレーム２０１を示す。瞳孔拡張センサ２０８は、被験者の瞳孔の拡張を測定するべく概してレンズ付近である眼鏡フレーム範囲内に位置決めした被験者の瞳孔の拡張変化を感知できる。瞳孔の測定が可能なこれ以外の場所も想像および予想される。同図中では、右眼レンズを不透明に示しているが、透明なレンズも問題なく使用できる。プロセッサ２０２を眼鏡フレーム２０１内の任意の場所に一体形成したり、またはフレームの外に設けることができる。図２Ａでは、プロセッサ２０２は右レンズ範囲内に位置決めされている。スイッチ２０４がプロセッサ２０２に接続しており、推移を表す信号を提供することができる（以降で説明する）。図２Ａでは、スイッチ２０４は、可撓コードで眼鏡フレームとプロセッサ２０２に接続した、片手で持ち親指で作動させるスイッチとして示されているが、スイッチは音声起動式のものであってもよく、この場合には、検査員が手を自由に使えるように、マイクロフォン２０９がスイッチの一部として採用されている。
【００２５】
同図に、複数の状態のうち少なくとも１つの指標を表示することが可能であり、被験者が観察できる、２個の発光ダイオード２０６ａ、２０６ｂを示す。図２Ａの実施形態では、赤色２０６ａ（ＬＥＤ）は「偽」または「負」の状態を、緑色２０６ｂは「真」または「正」の状態を示す。状態は、ＬＥＤの輝度、ＬＥＤのカデンス、またはＬＥＤの点滅回数によって示すこともでき、これらのタイプの表示は、１個のみのＬＥＤを使用して状態を示す際に特に有益である。図２Ａは、赤色および緑色ディスプレイ（さらに、２０６ａ、２０６ｂとも表示されている）、あるいは、やはり状態を示すために使用可能な投射も示す。液晶ディスプレイ（ＬＣＤ）を使用してフィードバックを提供することもできる。
【００２６】
図２Ｂに示すように、瞳孔拡張センサ２０８（瞳孔計）は、デジタルカメラであってよく、プロセッサ２０２に瞳孔径（範囲）の変化に関する情報を提供する。プロセッサ２０２は、制御期間中にセンサ２０８から受信した情報に基づいて制御メトリック（規準化した、または基本のメトリック）を決定し、この制御メトリックと、活性期間中にセンサ２０８から受信したさらなる情報とに基づいて反応メトリックを決定する。瞳孔拡張センサ２０８としての使用に適した瞳孔計が、「Ｐｕｐｉｌｏｍｅｔｅｒ  ｆｏｒ  ｐｕｐｉｌ  ｃｅｎｔｅｒ  ｄｒｉｆｔ  ａｎｄ  ｐｕｐｉｌ  ｓｉｚｅ  ｍｅａｓｕｒｅｍｅｎｔｓ  ａｔ  ｄｉｆｆｅｒｉｎｇ  ｖｉｅｗｉｎｇ  ｄｉｓｔａｎｃｅｓ」と題する米国特許７、４３１、４５５号に開示されており、その全内容は参照により本明細書に援用している。センサ２０８が提供する情報は瞳孔および虹彩のデジタル画像であってよく、プロセッサ２０２はこのデジタル画像を処理して瞳孔の拡張を特定することができる。この情報はまた、瞳孔の身体的測定値や、瞳孔拡張の変化の相対指標であってもよい。また、センサ２０８は内部処理機能を含んでいてもよい。
【００２７】
プロセッサ２０２は、反応メトリックと基本メトリックに基づいて、あるいは後述するように専ら反応メトリックに基づいて、制御信号を作成、送信する。この実施形態では、この制御信号がインジケータ２０６（ディスプレイ）を制御して、視覚ディスプレイ２０６、または、赤色および緑色ＬＥＤをオン／オフにするか、あるいは状態を表示させる。スイッチ２０４は、制御期間と活性期間（または反応期間）の間の推移を表し、これをプロセッサ２０２に提供する。いくつかの実施形態では、この推移を暗示または推定することができるので、スイッチ２０４が不要となることもある。
【００２８】
図３は、推移時における、キネシオロジー眼鏡を用いて応用キネシオロジー検査を提供する方法を説明している。
【００２９】
（１）ブロック３０１に示すように、検査員が命題（刺激）を提供する。
【００３０】
（２）ブロック３０３に示すように、眼鏡の測定工程が始動する。この始動は、口述、つまり音声起動式スイッチを介した「テスト」という音声によるものや、機械スイッチ、つまり「片手で持つ装置」を作動させるものであってよい。この工程は、命題に対する検査員の自律反応を特定する。
【００３１】
（３）上記の結果、瞳孔サイズの増加（拡張）または減少（収斂）が生じると、装置がこれを測定および特定し、ブロック３０５に示すように眼鏡フレームに内蔵されている赤色ＬＥＤまたは緑色ＬＥＤのどちらかの作動を引き起こさせる。
検査員は、これによって、瞳孔の大きさが増加したか減少したかについての情報を得る。
【００３２】
（４）  次に、本装置は、ブロック３０７に示すように別の命題／瞳孔測定期間の準備ができた状態となる。
【００３３】
図４は、応用キネシオロジーフィードバックを得る方法をより詳細に説明している。ブロック４０１で、センサが被験者の性質的特徴を感知する。上述の性質的特徴は、自律神経の変化に晒されるものであることが好ましい。特徴はまた、体温、呼吸速度、および／または精神生理学的効果のようなその他の自律反応から選択してもよい。精神生理学的効果は、脳波検査（ＥＥＧ）のような脳活動の測定値、ｆＭＲＩ（機能的磁気共鳴画像）、皮膚コンダクタンスの測定値（皮膚コンダクタンス反応（ＳＣＲ）、皮膚電気反応（ＧＳＲ））、心血管系測定値（心拍数（ＨＲ）、１分間の鼓動数（ＢＰＭ）、心拍変動数（ＨＲＶ）、血管運動の活性）、筋活動（筋電図描画法（ＥＭＧ））、思考および感情に伴う瞳孔径の変化（瞳孔測定）、眼電図（ＥＯＧ）および凝視方向方法によって記録された眼球運動を含んでいてよい。ブロック４０３では、感知された特徴（瞳孔拡張）に関する情報が処理のためにプロセッサに伝達される。プロセッサは、この情報から瞳孔径の基線を決定することができる。
【００３４】
ブロック４０５では、制御期間から活性期間へ推移しており、この推移は、音声起動式または手動式のスイッチを使用して達成できる。あるいは、ソフトウェアによって性質的特徴の変化を分析し、推移を特定してもよい。例えば、大きな偏差、または所定の閾値を超える偏差を、活性期間への疑似リアルタイム推移として使用することができる。別の代替例では、全ての後続の反応を比較するための基線を確立することができ、これにより眼鏡が活性状態に維持される。ブロック４０７に示すように、制御期間から活性期間への推移と同時に、あるいは時間的にその付近において、反応に影響を及ぼすべく被験者に刺激が与えられる。
【００３５】
ブロック４０９で示すように、被験者の性質的特徴を感知することで、被験者の自律反応に関する追加の情報が得られる。ブロック４１１に示すように、この感知された性質的特徴に関する追加情報がプロセッサに提供される。ブロック４１３に示すように、プロセッサが活性期間にこの追加情報を使用して、自律反応を決定する。ブロック４１５に示すように、自律反応に基づくフィードバックがプロセッサを介して被験者に提供される。フィードバックは視覚信号であってよく、この視覚信号は、所定の色の光を被験者に対して照射すること、所定の輝度の光を被験者に対して照射すること、点滅光を所定の頻度でパルス発信すること、または光を所定の回数だけパルス発信すること、あるいはこれらの組み合わせを含む。このフィードバックは、例えば合成音声、録音した音声、音色、音量、または多数のオーディオパルス、といった音声信号であってもよい。フィードバックはまた、不可聴振動や、その他の感覚刺激であってもよい。
【００３６】
図５は、瞳孔の自律反応を特定するためのフローチャートである。瞳孔の特徴は、命題のエンドポイントから指定された時間のエンドポイントまで継続ベースで測定することができる。その結果得られる瞳孔特徴の増加または減少が（特定の所定基準を超えた場合）、眼鏡上で正のフィードバック反応または負のフィードバック反応を誘発する（それぞれ緑色ＬＥＤ、赤色ＬＥＤの光で示される）。
【００３７】
自律反応の特定方法は、ブロック５０１に示す制御期間、ブロック５０７に示す推移期間、ブロック５０９に示す活性（または反応）期間、という３つの期間にわたって実施することができる。上述したように、制御期間は、基線または規範値と、性質的特徴（瞳孔拡張）の予測される偏差とを確立する。活性または反応期間は、刺激に対する一時的な自律反応を確立する。
【００３８】
ブロック５０３で、制御期間中に瞳孔の直径（範囲）に関する情報が取得される。情報は、デジタルカメラで撮影した瞳孔の１または複数枚の画像であってよい。この情報がプロセッサに提供されると、次に、プロセッサがブロック５０５に示すように制御メトリック（第１メトリック）を決定する。例えば、これらの画像から、瞳孔の直径、範囲、半径などが特定されることで、瞳孔サイズの通常変動を説明する標準的な偏差といった平均値やその他の統計的測定値の決定が可能になる。
【００３９】
推移期間５０７に続き、活性期間５０９中に、ブロック５１１に示すように追加の情報が得られる。この情報は自律反応を反映させたものである。この情報がプロセッサに提供され、次に、プロセッサがブロック５１３に示すように反応メトリックを決定する。結果として生じる変化（時間の経過にわたる増加または減少のどちらでも）を計算することにより、反応メトリックが特定の基準を満たすか否かに応じて、レンズ縁の内部アスペクト上に搭載された赤色または緑色ＬＥＤの応答が誘発される。反応メトリックは、少なくとも制御メトリックと、活性期間中にデジタルカメラから受信した追加の信号とに基づいて決定される。反応期間から得た瞳孔の画像を使用して、平均値またはその他の統計的測定値を決定することができ、次に、この値を、数学または論理演算によって制御メトリックと比較することで、反応メトリックに到達できる。ブロック５１５に示すように、この反応メトリックに基づいて、フィードバックの性質を表す制御信号を生成することが可能である。
【００４０】
例証の目的で、次の例を挙げる。刺激の付与が行われない制御期間における特徴に関した基線情報を得るために、制御期間中に初期感知を実施する。ここで述べた実施形態においては、性質的特徴は瞳孔径または瞳孔の拡張である。制御期間中に、デジタルカメラが、被験者の瞳孔の一連の５枚連続画像を撮影する。５枚の画像はそれぞれ、２．１、２．０、１．９、２．０、２．１ｍｍの瞳孔径を示す。平均直径は２．０２ｍｍである。標準偏差は０．０８３６７である。反応期間中、デジタルカメラが、被験者の瞳孔の別の５枚の連続画像を撮影する。反応期間におけるこの５枚の画像はそれぞれ、２．１、２．１、２．２、２．１、２．２ｍｍの瞳孔径を示す。平均直径は２．１４である。直径平均どうし間の差は０．１２ｍｍである（２．１４−２．０２＝０．１２ｍｍ）反応メトリックはこの差のように単純であっても、または、標準偏差で割って算出した差分のような差の関数であってもよく、後者の場合には、反応メトリックは０．１２／０．０８３７、または１．４３であり得る。プロセッサは、偽または負のフィードバックを表す制御信号を、正の反応メトリックに基づいて送信する。この例では、−１．４３の反応メトリックに基づくことで、プロセッサが真または正のフィードバックを表す制御信号を生成する。この例では、１未満の反応メトリックは標準偏差の範囲内に入るので無視してよい。しかし、上記以外の統計、メトリック、閾値を使用することも可能であり、また、この例証を含めることは排他的、限定的ではなく、制限を意図するものでもない。
【００４１】
あるいは、瞳孔の特徴における偏差に応じて、活性期間への推移を推定することができる。移動平均に関連している瞳孔特徴における偏差を使用して、推移を表すことができる。上述の例と同様に、１０個の測定値、つまり２．１、２．０、１．９、２．０、２．１、２．１、２．１、２．２、２．１、２．２を取り、さらに、［数１］の単純な移動メトリックを計算して、瞳孔の特徴における仮性でないシフトを検出する。移動メトリックは一連の５個の連続した測定値にかけて計算される。すなわち、ｉ＝５（制御期間の最後）にて１．０２５、ｉ＝６にて１．０７、ｉ＝７にて１．０５、ｉ＝８にて１．０４。１．０７の局所的ピークからは瞳孔拡張と反応期間への推移とが明らかになり、同様に、移動メトリックの局所的な降下からは瞳孔の収斂と推移とが明らかになる。推移を推定するこれ以外の方法およびアルゴリズムも想像される。
【００４２】
図６は、応用キネシオロジーのフィードバックを遠隔地にて得る方法のフローチャートである。まず、ブロック６０１に示すように、被験者が遠隔地からの刺激を観察する。この観察は視覚的または音声的なものであってよく、また、例えば生中継映像や音声の供給のようにリアルタイムで提供しても、あるいは事前に録画・録音したものを提供してもよい。ブロック６０３に示すように被験者の自律反応が測定され、次に、ブロック６０５に示すように、この反応に基づいて、観察された行動の真実性または虚偽性を表すフィードバックが生成される。例えば、容疑者への尋問を生中継映像供給に取り込む。応用キネシオロジー眼鏡を装用した応用キネシオロジー検査員がこの尋問を観察し、尋問への反応時における検査員（容疑者ではない）の瞳孔拡張の測定値から、容疑者の供述の真実性または虚偽性を客観的に決定することが可能である。
【００４３】
応用キネシオロジー眼鏡の利点は、瞳孔の応用キネシオロジーな反応のフィードバックを伝送するための、単純で独特な手段を提供することである。この眼鏡は、特定の命題または刺激に対する真偽反応の、視覚的またはその他の形態のフィードバックを提供する。上述したように、これは、特定の命題に対して瞳孔が拡張または収斂するとその範囲を測定する、眼鏡フレーム内蔵型の装置によって有利に行うことができる。これに加え、処理およびフィードバック表示を眼鏡の外部において、例えば眼鏡に有線または無線接続したノート型コンピュータを使用して行うことができる。
【００４４】
本主題の態様は、真の状態、偽の状態、そして中間の状態の決定を含む。
【００４５】
この装置の別の独特な態様は、所与の刺激（特定の命題）（音声起動信号または機械信号によって誘発される）に対する瞳孔反応を捕獲し、その情報を迅速で直接的な方式で個人に供給する。この眼鏡の出願は、横紋筋／随意筋に依存する筋肉テストの主観的な要素を排除し、さらに、虹彩の動き（瞳孔の収斂または拡張）を測定する独特な装置を用いて得た無意識の（不随意の）客観的な測定値によって応用キネシオロジー反応を評価する代替手段を提供する。
【００４６】
本主題のさらに別の態様は、個人が診断目的で（別の参加者の必要性を排除する）自分でテストを行うことを可能にし、さらに、その場にいない別の人物に対する診断処理を行うことを可能にする。これにより、携帯性と便宜性を備えることが可能になり、さらに、別の人物が関与することで生じ得る主観性を排除することが可能になる。診断的な含意に加え、この眼鏡は、遠隔方式で評価決定（真偽）を行う機能と手段において前進を示している。開示された主題には、便利で、プライバシーに侵入することがなく、個別化された方法および装置を用いた、医学的評価および診断、嘘発見、軍隊検査、ゲーム、および遠隔／遠距離型の知識収集を含む広範なものという意味が含まれている。
【００４７】
開示された主題の態様は、特に、ソフトウェアや「特定用途向け集積回路」（ＡＳＩＣ）に埋め込んだアルゴリズムによって実現することができる。
【００４８】
本発明の好ましい実施形態について述べたが、これらの実施形態は単なる例証であり、本発明の範囲は、当業者が本明細書を精読して自然に思いつく均等物、多くの応用および改造の最大範囲と一致する特許請求の範囲によってのみ定義されるものである。
【００４９】
【数１】
2013505811.tif 000003
【００５０】
２０１  従来型の眼鏡フレーム
２０２  プロセッサ
２０４  スイッチ
２０６ａ、２０６ｂ  発光ダイオード
２０８  瞳孔拡張センサ
２０９  マイクロフォン
３０１、３０３、３０５、３０７、４０１、４０５、４０７、４０９、４１１、４１３、４１５、５０１、５０３、５０７、５０９、５１１、５１３、５１５、６０１、６０３、６０５    ブロック
【図１】
2013505811.tif 000004
【図２ａ】
2013505811.tif 000005
【図２ｂ】
2013505811.tif 000006
【図３】
2013505811.tif 000007
【図４】
2013505811.tif 000008
【図５】
2013505811.tif 000009
【図６】
2013505811.tif 000010
【国際調査報告】
2013505811.tif 000011